(57)【要約】      （修正有）【課題】複数の音声出力部を備える音声出力装置から出力される音声の音質の劣化を防止することができる表示装置及びテレビジョン受信機を提供する。【解決手段】映像を表示する表示パネル２の周縁部を前側から取り囲むフロントキャビネット１１と、フロントキャビネット１１の後側を覆うリアキャビネット１２と、フロントキャビネット１１の前面下部の左右の夫々に開口する複数の開口部１１６と、複数の開口部１１６の夫々に対向する複数の音声出力部とを備える表示装置において、フロントキャビネット１１又は複数の音声出力部は、複数の開口部１１６の夫々を仕切る仕切り部を備える。【選択図】図１
2015135480.tif 000002
【特許請求の範囲】
【請求項１】
映像を表示する表示パネルの周縁部を前側から取り囲むフロントキャビネットと、前記フロントキャビネットの後側を覆うリアキャビネットと、
前記フロントキャビネットの前面下部の左右の夫々に開口する複数の開口部と、
前記複数の開口部の夫々に対向する複数の音声出力部とを備える表示装置において、
前記フロントキャビネット又は複数の音声出力部は、
前記複数の開口部の夫々を仕切る仕切り部を備えることを特徴とする表示装置。
【請求項２】
前記仕切り部は前記開口部の周縁部を取り囲むように設けられ、前後方向に延びる筒状をなすことを特徴とする請求項１に記載の表示装置。
【請求項３】
前記仕切り部は前記開口部の側の内径が他側の内径より大きいことを特徴とする請求項２に記載の表示装置。
【請求項４】
前記フロントキャビネットは、後側に突出する複数の嵌合突起を下部に備え、
前記音声出力部は、前記複数の嵌合突起の夫々に嵌め合わせる複数の嵌合部を備え、
前記リアキャビネットは、前記複数の嵌合突起の夫々に対向する位置から前側に突出し、前記複数の嵌合突起との間で前記複数の嵌合部を挟むことにより前記音声出力部を固定する複数の固定部を備え、
前記複数の固定部の内の少なくとも一の固定部は、前記複数の嵌合突起に当接してあることを特徴とする請求項１から請求項３のいずれか１つに記載の表示装置。
【請求項５】
前記音声出力部は、後面側に突出された位置決め凸部を備え、
前記リアキャビネットの前面には、前記位置決め凸部の周面に当接することにより前記音声出力部を面方向に位置決めする位置決めリブが設けられていることを特徴とする請求項４に記載の表示装置。
【請求項６】
請求項１から５までの何れか一つに記載の表示装置と、
テレビジョン放送を受信する受信部とを備え、
前記受信部で受信したテレビジョン放送に基づいて前記表示装置で映像を表示するようにしてあることを特徴とするテレビジョン受信機。
【発明の詳細な説明】
【技術分野】
【０００１】
本発明は、音声出力装置から出力される音声の音質の劣化を防止することができる表示装置及びテレビジョン受信機に関する。
【背景技術】
【０００２】
液晶表示装置、有機ＥＬ(Electro Luminescence)表示装置又はプラズマ表示装置等の表示装置の多くは、映像を表示する表示パネルの周縁部を前側から取り囲むフロントキャビネットと、フロントキャビネットの後側を覆うリアキャビネットとを備える。さらにフロントキャビネットの前面の下部には放音口（開口部）が開口してあり、該放音口に面して音声出力装置を取り付けてある（例えば、特許文献１参照）。
【先行技術文献】
【特許文献】
【０００３】
【特許文献１】特開平１１−２８９５０８号公報
【発明の概要】
【発明が解決しようとする課題】
【０００４】
しかし、特許文献１に記載の取付構造は、一の音声出力部を備える音声出力装置を想定しているため、複数の音声出力部を備える音声出力装置から出力される複数の音声が干渉することによる音質の劣化を防止することが難しいという問題があった。
【０００５】
本発明は斯かる事情に鑑みてなされたものであり、その目的とするところは、複数の音声出力部を備える音声出力装置から出力される音声の音質の劣化を防止することができる表示装置及びテレビジョン受信機を提供することにある。
【課題を解決するための手段】
【０００６】
本発明に係る表示装置は、映像を表示する表示パネルの周縁部を前側から取り囲むフロントキャビネットと、前記フロントキャビネットの後側を覆うリアキャビネットと、前記フロントキャビネットの前面下部の左右の夫々に開口する複数の開口部と、前記複数の開口部の夫々に対向する複数の音声出力部とを備える表示装置において、前記フロントキャビネット又は複数の音声出力部は、前記複数の開口部の夫々を仕切る仕切り部を備えることを特徴とする。
【０００７】
本発明に係る表示装置は、前記仕切り部は前記開口部の周縁部を取り囲むように設けられ、前後方向に延びる筒状をなすことを特徴とする。
【０００８】
本発明に係る表示装置は、前記仕切り部は前記開口部の側の内径が他側の内径より大きいことを特徴とする。
【０００９】
本発明に係る表示装置は、前記フロントキャビネットは、後側に突出する複数の嵌合突起を下部に備え、前記音声出力部は、前記複数の嵌合突起の夫々に嵌め合わせる複数の嵌合部を備え、前記リアキャビネットは、前記複数の嵌合突起の夫々に対向する位置から前側に突出し、前記複数の嵌合突起との間で前記複数の嵌合部を挟むことにより前記音声出力部を固定する複数の固定部を備え、前記複数の固定部の内の少なくとも一の固定部は、前記複数の嵌合突起に当接してあることを特徴とする。
【００１０】
本発明に係る表示装置は、前記音声出力部は、後面側に突出された位置決め凸部を備え、前記リアキャビネットの前面には、前記位置決め凸部の周面に当接することにより前記音声出力部を面方向に位置決めする位置決めリブが設けられていることを特徴とする。
【００１１】
本発明に係るテレビジョン受信機は、上述の表示装置と、テレビジョン放送を受信する受信部とを備え、前記受信部で受信したテレビジョン放送に基づいて前記表示装置で映像を表示するようにしてあることを特徴とする。
【発明の効果】
【００１２】
本発明によれば、複数の音声出力部を備える音声出力装置から出力される音声の音質の劣化を防止することができる。
【図面の簡単な説明】
【００１３】
【図１】テレビジョン受信機の外観を略示する斜視図である。
【図２】表示装置の分解図である。
【図３】一対のスピーカボックスを示す正面斜視図である。
【図４】一対のスピーカボックスを示す背面斜視図である。
【図５】リアキャビネットの前面の一部を示す拡大斜視図である。
【図６】固定部付近を示す拡大斜視図である。
【図７】フロントキャビネットの後面の一部を示す斜視図である。
【図８】スピーカボックスをフロントキャビネットに取り付けた状態を示す斜視図である。
【図９】スピーカボックスをフロントキャビネット及びリアキャビネットに取り付けた状態を示す説明図である。
【図１０】ボックス構造を持たないスピーカを示す背面図である。
【図１１】実施の形態３に係るフロントキャビネットを示す正面図である。
【図１２】実施の形態４に係るフロントキャビネット及びスピーカボックスの断面図である。
【発明を実施するための形態】
【００１４】
実施の形態１
以下、本発明をその実施の形態を示す図面に基づいて詳述する。以下の説明では各図中の上下、左右を使用する。
【００１５】
図１はテレビジョン受信機の外観を略示する斜視図である。図１に示すように、表示装置は画像表示面に映像を表示する液晶パネル（表示パネル）２と、液晶パネル２とを収容する箱状のキャビネット１とを備える。キャビネット１は液晶パネル２の周縁部を前側から取り囲むフロントキャビネット１１と、フロントキャビネット１１の後側を覆うリアキャビネット１２とを備える。
【００１６】
表示装置は、バックライトシャーシの背面に取付けた受信部２１及び信号処理部２２を備えるテレビジョン受信機として構成されている。受信部２１は、図示しないアンテナに接続され、該アンテナを介してテレビジョン放送を受信する。信号処理部２２は、受信部２１が受信したテレビジョン放送に係るデータを復調し、復調したデータから画像データを分離し、分離した画像データを出力する。液晶パネル２は、信号処理部２２が出力した画像データに基づく画像を画像表示面に表示する。
【００１７】
図２は表示装置の分解図である。フロントキャビネット１１は、矩形に開口する表示窓１１０が開設してある枠体である。液晶パネル２は、表示面を表示窓１１０の前面に向けてフロントキャビネット１１に保持されている。リアキャビネット１２の下部には後側に張り出した張出部１２１が設けられている。この張出部１２１は、表示装置としての設置時に下位置となる部分であり、左右両側に音声出力のための一対のスピーカボックス（音声出力装置）３、３等を含む種々の周辺機器の配置スペースを提供すべく設けてある。
【００１８】
表示装置は、更にスタンド４を備えている。スタンド４はフロントキャビネット１１の左右の両端から下方に垂設している。表示装置は、載置面上にスタンド４を介して支持し、液晶パネル２の画像表示面を縦姿勢に保って使用される。
【００１９】
図３は一対のスピーカボックス３、３を示す正面斜視図である。図４は一対のスピーカボックス３、３を示す背面斜視図である。図３、図４に示すようにスピーカボックス３は外箱３０及びスピーカ（音声出力部）３１を備える。外箱３０は正面に向かうにつれて幅広になる側面視台形状の箱体である。外箱３０の前面には２つの円状のスピーカ３１、３１と、円状のバスレフポート３２とが並べて設けてある。このように構成されたスピーカボックス３において、夫々の前側に音声を出力するスピーカ３１は、開口部に設けられた振動板を振動させて音声を出力し、この音声出力の一部は、外箱３０の内部に設けられた音声出力筒（図示せず）を経てバスレフポート３２に送り出される。外箱３０、３０の正面には、左端部、右端部に設けられたフランジ３３、３３と、上下方向に並べて２つずつ設けられたブッシュ３４ａとを備え、外箱３０、３０の背面には、後側に突出した位置決め凸部３４、３４が取り付けられている。
【００２０】
フランジ３３、３３は、前後方向を向いた円筒型のブッシュ（嵌合部）３３ａ、３３ａを取り付けている。位置決め凸部３４は前後方向を向いた円柱状をなしている。なお、ブッシュ３３ａ、３４ａ、位置決め凸部３４は、独立気泡型の発泡プラスチック等の弾性材料で構成されている。
【００２１】
図５はリアキャビネット１２の前面の一部を示す拡大斜視図である。図５に示すように、張出部１２１は左部及び右部に設けられた２組の位置決めリブ１２２と、左右の両端に設けられた固定部１２３とを備える。位置決めリブ１２２は左部及び右部から上下及び左右方向に離隔した位置に各４つずつ設けられている。位置決めリブ１２２は前側に向かって突出している。位置決めリブ１２２は側面視四半円の形状をなす板であり、円弧部分を対向させる向きに設けられている。位置決めリブ１２２には中央部に交叉して設けられた補強リブ１２ａを備える。位置決めリブ１２２は位置決め凸部３４に対応づけられた位置に設けられている。スピーカボックス３をリアキャビネット１２に組み込む際に、位置決めリブ１２２が円弧状であることから、位置決め凸部３４をスムーズに設置位置に導くことができる。
【００２２】
図６は固定部１２３付近を示す拡大斜視図である。図６に示すように固定部１２３は前側に向かって突出している。固定部１２３は上下方向に長い長円型の突起である。固定部１２３の前面の上下方向の両端には円状の押さえ部１２４、１２４を備える。
【００２３】
図７はフロントキャビネット１１の後面の一部を示す斜視図である。図７に示すようにフロントキャビネット１１は膨らみ部１１１を表示窓１１０の下部に備える。膨らみ部１１１は前側に向かって膨らんだ曲面をなしている。膨らみ部１１１は張出部１２１に対応づけられた位置に設けられている。膨らみ部１１１は中央部から左側及び右側に各３つずつ２組開口された放音口（開口部）１１６と、該放音口１１６の周縁部を取り囲むように設けられた筒部（仕切り部）１１２と、左右方向の両端に設けられた嵌合突起１１３と、上下方向に並べて２つずつ設けられたボス部１１７とを備える。嵌合突起１１３は後側に向かって上下方向に各２つずつ２組並設されている。
【００２４】
筒部１１２は、後ろ側に各３つずつ２組前後方向に延びた筒状をなす。筒部１１２は放音口１１６の側における一端部の内径が他端部の内径より大きい。筒部１１２の他端部はスピーカ３１を取り囲む形状となっている。嵌合突起１１３はブッシュ３３ａ、押さえ部１２４に対応づけられた位置に設けられている。嵌合突起１１３は膨らみ部１１１上から後ろ側に立設された支持部１１４と、該支持部１１４上に立設された先端部１１５とを備える。支持部１１４は直方体状をなす。先端部１１５は円柱状であり、支持部１１４上の後面から後側に立設され、スピーカボックス３のブッシュ３３ａと略同一の外径を有している。
【００２５】
ボス部１１７、１１７は円柱状であり、突起部１１４、１１４の両側から離隔した位置に垂直に立設され、スピーカボックス３のブッシュ３４ａ、３４ａと略同一の外径を有し、基部近傍の外周に径方向外向きに張り出すように設けた複数の支えリブを備える。
【００２６】
図８はスピーカボックス３をフロントキャビネット１１に取り付けた状態を示す斜視図である。図８に示すようにスピーカボックス３をフロントキャビネット１１に取り付ける方法は以下の通りである。スピーカボックス３を膨らみ部１１１に左右方向の位置が合うように近づけて、嵌合突起１１３にブッシュ３３ａを嵌め合わせ、ボス部１１７にブッシュ３４ａを嵌め合わせ、複数の筒部１１２の夫々にスピーカ３１、３１、バスレフポート３２の縁部に当接し、スピーカボックス３を放音口１１６に面して配置されるように取り付けることができる。
【００２７】
図９はスピーカボックス３をフロントキャビネット１１及びリアキャビネット１２に取り付けた状態を示す説明図である。図９に示すようにスピーカボックス３を固定する方法は以下の通りである。膨らみ部１１１を取り付けたスピーカボックス３を張出部１２１に左右方向の位置が合うように近づけて、互いに対向する位置決めリブ１２２の間に位置決め凸部３４に当接することにより位置決めし、複数の固定部の内の一の固定部１２３に設けられた複数の押さえ部１２４の夫々を複数の嵌合突起１１３の先端の夫々に当接し、ブッシュ３３ａを嵌合突起１１３と固定部１２３との間で挟持することで固定される。
【００２８】
本実施の形態によれば、フロントキャビネット１１は複数の筒部１１２の夫々にスピーカ３１、３１、バスレフポート３２の開口部の縁部を当接させることにより、スピーカ３１、３１、バスレフポート３２から出力される音声が仕切られる。このため、表示装置は出力される音声の干渉を防止することにより音質の劣化を防止することができる。複数のスピーカ３１毎に筒部１１２を設けることによって、各スピーカ３１の出力がキャビネット１内で混ざり、互いに干渉することを防ぐことができる。各スピーカ３１の出力がキャビネット１から出力される際、一部の音はフロントキャビネット１１で反射して、キャビネット１内に跳ね返る。この音が他のスピーカ３１の出力と混じることによって、音波が干渉し合い、音に時間的や領域的なムラが発生し、音の品位を低下させてしまう。他のスピーカ３１への影響は、スピーカ３１前面からフロントキャビネット１１までの距離が長い方が大きい。フロントキャビネット１１からの反射音がより広がるからである。筒部１１２があることで、フロントキャビネット１１からの反射音は、他のスピーカ３１の領域に達しないので、他のスピーカ３１の音との干渉を防ぐことができる。
【００２９】
本実施の形態によれば、筒部１１２はスピーカ３１、３１、バスレフポート３２の全体を囲うように仕切ってある筒状であるため、スピーカ３１から出力される音声が表示装置内に漏れることを防止することができる。さらに、筒部１１２を開口部の周縁部を取り囲むように設けることによって、より音の品位を上げることができる。すなわち、筒部１１２が開口部より広い範囲に設けられる場合、換言すると、筒部１１２が囲む領域に開口部の周縁部につながるフロントキャビネット１１が存在する場合は、フロントキャビネット１１に反射した音がスピーカ３１の出力と干渉し、音の品位を下げることになるためである。そのため、スピーカ３１の開口部の周縁部を取り囲むように仕切りを設けることによって、音の品位をより向上させることができる。
【００３０】
本実施の形態によれば、筒部１１２は放音口１１６の側における一端部の内径が他端部の内径より大きいことにより低音域の音質の劣化を防止することができる。
【００３１】
本実施の形態によれば、一の固定部１２３は複数の嵌合突起１１３に当接する形状であるため折れにくい。このことにより使用時の固定部１２３の破損を防止することができる。
【００３２】
本実施の形態によれば、音声出力装置３は位置決めリブ１２２の間に位置決め凸部３４に位置決めすることで、振動を確実に防止することができる。
【００３３】
実施の形態２
図１０はボックス構造を持たないスピーカ５を示す背面図である。以下、特に説明する構成、作用以外の構成及び作用は実施の形態１と同等であり、簡潔のため記載を省略する。図１０に示すように、スピーカ５は直方体状の箱体であり、中央部に設けられた音声出力部５１と、左側の上下の角部に設けられたブッシュ５４ａと、右端における上下方向の両端に設けられたブッシュ５３ａとを備える。音声出力部５１は円状であり、音声出力部５１の基部には音波を放音するための振動板を臨ませて取り付けてある。音声出力部５１の縁部の形状は筒部１１２に対応づけてある。ブッシュ５４ａの位置はボス部１１７の位置に対応づけられている。ブッシュ５３ａは嵌合突起１１３に対応づけられている。ブッシュ５３ａ、５４ａは独立気泡型の発泡プラスチック等の弾性材料で構成されている。音声出力部５１、ブッシュ５３ａ、５４ａはスピーカ３１、ブッシュ３３ａ、３４ａと同じ作用及び効果を有しており、取り付け方法は実施の形態１と略同様のため簡潔のため記載を省略する。
【００３４】
本実施の形態によれば、フロントキャビネット１１は筒部１１２にスピーカ５の縁部を当接させることにより、スピーカ５から出力される音声が仕切られる。このことによりスピーカ５から出力される音声が表示装置内に漏れることを防止することができる。
【００３５】
実施の形態３
図１１は実施の形態３に係るフロントキャビネット１１を示す正面図である。以下、特に説明する構成、作用以外の構成及び作用は実施の形態１と同等であり、簡潔のため記載を省略する。また各部の符号は簡潔のため記載を省略する。図１１に示すように、膨らみ部１１１の左右両側には、各３つずつ２組並設された仕切り板１１８を備える。仕切り板１１８は膨らみ部１１１の断面形状に対応する略半円形の板である。仕切り板１１８はスピーカ３１、３１、バスレフポート３２の開口部を仕切るように、各々の開口部の間に配置されている。仕切り板１１８の端部は、スピーカ３１、３１、バスレフポート３２の開口部に連なるスピーカボックス３の表面に当接している。この構造によって複数の放音口１１６は相互に仕切られている。本実施形態によれば、仕切り板１１８によって各々のスピーカから出力される音がキャビネット内で混ざることがないので、互いのスピーカの音による干渉が防止でき、音質の劣化を防止することができる。
【００３６】
実施の形態４
図１２は、実施の形態４に係るフロントキャビネット１１及びスピーカボックス３の断面図であり、本図には仕切り部の他の形成態様を示してある。図１２Ａにおいてフロントキャビネット１１には、実施の形態１と同様の筒部１１２が設けられている一方、スピーカボックス３には、スピーカ３１、３１及びバスレフポート３２の開口部を夫々取り囲むように３つの筒部１２５が設けられている。これらの筒部１２５は、スピーカボックス３の前面から立ち上がり、テーパ状に拡径して前方に延びており、図示の如くスピーカボックス３をフロントキャビネット１１に組み付けた場合、フロントキャビネット１１側に対応する筒部１１２の後端部の外側に嵌め合わされ、フロントキャビネット１１に開口する複数の放音口１１６の間に仕切り部を形成する。
【００３７】
この実施の形態においては、一部が重なる筒部１１２と筒部１２５とにより仕切り部が形成され、スピーカ３１、３１及びバスレフポート３２の開口部と夫々に対応する放音口１１６との間が隙間なく囲われるから、スピーカ３１、３１及びバスレフポート３２からの放出音の干渉をより確実に防止し、音質の劣化を効果的に抑制することができる。
【００３８】
図１２Ｂにおいてフロントキャビネット１１には、筒部１１２が設けられておらず、スピーカボックス３には、図１２Ａと同様に、スピーカ３１、３１及びバスレフポート３２の開口部を夫々取り囲むように３つの筒部１２５が設けられている。これらの筒部１２５は、図１２Ａよりも長寸であり、図示の如くスピーカボックス３をフロントキャビネット１１に組み付けたとき、フロントキャビネット１１に開口する複数の放音口１１６を囲うように夫々の前端を当接させ、各放音口１１６間に仕切り部を形成する。
【００３９】
この実施の形態においては、スピーカボックス３に設けた筒部１２５により仕切り部が形成され、スピーカ３１、３１及びバスレフポート３２の開口部と夫々に対応する放音口１１６との間が囲われるから、スピーカ３１、３１及びバスレフポート３２からの放出音の干渉を防止し、音質の劣化を抑制することができる。
【００４０】
なお図１２Ａ、Ｂにおいては、スピーカボックス３に筒部１２５が設けられているが、同様の筒部１２５は、図１０に示すボックス構造を持たないスピーカ５にも設けることができる。
【００４１】
図１２Ｃにおいてフロントキャビネット１１には、実施の形態３と同様の仕切り板１１８が設けられている一方、スピーカボックス３には、スピーカ３１、３１及びバスレフポート３２夫々の間及びバスレフポート３２の右側に凹部１２６が設けられている。仕切り板１１８は、実施の形態３の仕切り板１１８よりも後方向に長く、凹部１２６は、仕切り板１１８の夫々と左右方向位置を対応させてあり、スピーカボックス３をフロントキャビネット１１に組み付けたとき、図示の如く夫々の仕切り板１１８の後端部が対応する凹部１２６に嵌め合わされてフロントキャビネット１１に開口する複数の放音口１１６の間に仕切り部を形成する。
【００４２】
この実施の形態においては、仕切り部を形成する仕切り板１１８が凹部１２６に嵌め合わされており、スピーカ３１、３１及びバスレフポート３２の開口部と夫々に対応する放音口１１６との間が隙間なく囲われるから、スピーカ３１、３１及びバスレフポート３２からの放出音の干渉をより確実に防止し、音質の劣化を効果的に抑制することができる。
【００４３】
なお以上の実施の形態においては、液晶パネル２を表示パネルとして備える液晶表示装置への適用例について説明したが、本発明は、液晶パネル２以外の表示パネルを備える表示装置にも適用可能であることは言うまでもない。
【００４４】
本発明に係る表示装置は映像を表示する液晶パネル２の周縁部を前側から取り囲むフロントキャビネット１１と、前記フロントキャビネット１１の後側を覆うリアキャビネット１２と、前記フロントキャビネット１１の前面下部の左右の夫々に開口する複数の開口部１１６と、前記複数の開口部１１６の夫々に対向する複数の音声出力部３１とを備える表示装置において、前記フロントキャビネット１１又は複数の音声出力部３１は、前記複数の開口部１１６の夫々を仕切る仕切り部１１２を備えることを特徴とする。
【００４５】
本実施の形態によれば、フロントキャビネット１１は複数の筒部１１２の夫々にスピーカ３１、３１、バスレフポート３２の縁部を当接させることにより、スピーカ３１、バスレフポート３２から出力される音声が仕切られる。このため、表示装置はスピーカ３１から出力される音声の反射及び干渉を防止することにより音質の劣化を防止することができる。複数のスピーカ３１毎に筒部１１２を設けることによって、各スピーカ３１の出力がキャビネット１内で混ざり、互いに干渉することを防ぐことができる。各スピーカ３１の出力がキャビネット１から出力される際、一部の音はフロントキャビネット１１で反射して、キャビネット１内に跳ね返る。この音が他のスピーカ３１の出力と混じることによって、音波が干渉し合い、音に時間的や領域的なムラが発生し、音の品位を低下させてしまう。他のスピーカ３１への影響は、スピーカ３１前面からフロントキャビネット１１までの距離が長い方が大きい。フロントキャビネット１１からの反射音がより広がるためである。筒部１１２があることで、フロントキャビネット１１からの反射音は、他のスピーカ３１の領域に達しないので、他のスピーカ３１の音との干渉を防ぐことができる。
【００４６】
本発明に係る表示装置は前記仕切り部１１２は前記開口部１１６の周縁部を取り囲むように設けられ、前後方向に延びる筒状をなすことを特徴とする。
【００４７】
本発明に係る表示装置は前記仕切り部１１２は前記開口部１１６の側の内径が他側の内径より大きいことを特徴とする。
【００４８】
本実施の形態によれば、筒部１１２は放音口１１６の側における一端部の内径が他端部の内径より大きいことにより低音域の音質の劣化を防止することができる。
【００４９】
本発明に係る表示装置は前記フロントキャビネット１１は、後側に突出する複数の嵌合突起１１３を下部に備え、前記音声出力装置３は、前記複数の嵌合突起１１３の夫々に嵌め合わせる複数の嵌合部３３ａを備え、前記リアキャビネット１２は、前記複数の嵌合突起１１３の夫々に対向する位置から前側に突出し、前記複数の嵌合突起１１３との間で前記複数の嵌合部３３ａを挟むことにより前記音声出力装置３を固定する複数の固定部１２３を備え、前記複数の固定部１２３の内の少なくとも一の固定部１２３は、前記複数の嵌合突起１１３に当接してあることを特徴とする。
【００５０】
本実施の形態によれば、一の固定部１２３は複数の嵌合突起１１３に当接する形状であるため折れにくい。このことにより使用時の固定部１２３の破損を防止することができる。
【００５１】
本発明に係る表示装置は前記音声出力装置３は、後面側に突出された位置決め凸部３４を備え、前記リアキャビネット１２の前面には、前記位置決め凸部３４の周面に当接することにより前記音声出力装置３を面方向に位置決めする位置決めリブ１２２が設けられていることを特徴とする。
【００５２】
本実施の形態によれば、音声出力装置３は位置決めリブ１２２の間に位置決め凸部３４に位置決めすることで、振動を確実に防止することができる。
【００５３】
本発明に係るテレビジョン受信機は、上述の表示装置と、テレビジョン放送を受信する受信部２１とを備え、前記受信部２１で受信したテレビジョン放送に基づいて前記表示装置で映像を表示するようにしてあることを特徴とする。
【００５４】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５５】
１１    フロントキャビネット
１２    リアキャビネット
１１２  筒部
１１３  嵌合突起
１１６  放音口（開口部）
１１８  仕切り板
１２２  位置決めリブ
１２３  固定部
２      液晶パネル（表示パネル）
３      スピーカボックス（音声出力装置）
３１    スピーカ（音声出力部）
３３ａ  ブッシュ（嵌合部）
３４    位置決め凸部
【図１】
2015135480.tif 000003
【図２】
2015135480.tif 000004
【図３】
2015135480.tif 000005
【図４】
2015135480.tif 000006
【図５】
2015135480.tif 000007
【図６】
2015135480.tif 000008
【図７】
2015135480.tif 000009
【図８】
2015135480.tif 000010
【図９】
2015135480.tif 000011
【図１０】
2015135480.tif 000012
【図１１】
2015135480.tif 000013
【図１２】
2015135480.tif 000014
【手続補正書】
【提出日】平成27年4月20日(2015.4.20)
【手続補正１】
【補正対象書類名】明細書
【補正対象項目名】０００６
【補正方法】変更
【補正の内容】
【０００６】
本発明に係る表示装置は、映像を表示する表示パネルの周縁部を前側から取り囲むフロントキャビネットと、前記フロントキャビネットの後側を覆うリアキャビネットと、前記フロントキャビネットの前面下部の左右の夫々に開口する複数の開口部と、前記複数の開口部の夫々に対向する複数の音声出力部とを備える表示装置において、前記複数の音声出力部は、左右毎に、１つのスピーカボックスに収納され、前記フロントキャビネット又は複数の音声出力部は、前記複数の開口部の夫々を仕切る仕切り部を備えることを特徴とする。
本発明に係る表示装置は、前記音声出力部の１つは、バスレフポートであることを特徴とする。
【手続補正２】
【補正対象書類名】特許請求の範囲
【補正対象項目名】全文
【補正方法】変更
【補正の内容】
【特許請求の範囲】
【請求項１】
映像を表示する表示パネルの周縁部を前側から取り囲むフロントキャビネットと、前記フロントキャビネットの後側を覆うリアキャビネットと、
前記フロントキャビネットの前面下部の左右の夫々に開口する複数の開口部と、
前記複数の開口部の夫々に対向する複数の音声出力部とを備える表示装置において、
前記複数の音声出力部は、左右毎に、１つのスピーカボックスに収納され、
前記フロントキャビネット又は複数の音声出力部は、
前記複数の開口部の夫々を仕切る仕切り部を備えることを特徴とする表示装置。
【請求項２】
前記音声出力部の１つは、バスレフポートであることを特徴とする請求項１に記載の表示装置。
【請求項３】
前記仕切り部は前記開口部の周縁部を取り囲むように設けられ、前後方向に延びる筒状をなすことを特徴とする請求項１又は請求項２に記載の表示装置。
【請求項４】
前記仕切り部は前記開口部の側の内径が他側の内径より大きいことを特徴とする請求項３に記載の表示装置。
【請求項５】
前記フロントキャビネットは、後側に突出する複数の嵌合突起を下部に備え、
前記音声出力部は、前記複数の嵌合突起の夫々に嵌め合わせる複数の嵌合部を備え、
前記リアキャビネットは、前記複数の嵌合突起の夫々に対向する位置から前側に突出し、前記複数の嵌合突起との間で前記複数の嵌合部を挟むことにより前記音声出力部を固定する複数の固定部を備え、
前記複数の固定部の内の少なくとも一の固定部は、前記複数の嵌合突起に当接してあることを特徴とする請求項１から請求項４のいずれか１つに記載の表示装置。
【請求項６】
前記音声出力部は、後面側に突出された位置決め凸部を備え、
前記リアキャビネットの前面には、前記位置決め凸部の周面に当接することにより前記音声出力部を面方向に位置決めする位置決めリブが設けられていることを特徴とする請求項５に記載の表示装置。
【請求項７】
請求項１から６までの何れか一つに記載の表示装置と、
テレビジョン放送を受信する受信部とを備え、
前記受信部で受信したテレビジョン放送に基づいて前記表示装置で映像を表示するようにしてあることを特徴とするテレビジョン受信機。